【手続補正書】
【提出日】平成29年1月12日(2017.1.12)
【手続補正１】
【補正対象書類名】特許請求の範囲
【補正対象項目名】全文
【補正方法】変更
【補正の内容】
【特許請求の範囲】
【請求項１】
少なくとも１つのＡＣ回路電力線通信（ＰＬＣ）インジェクションモジュールを含むシステムであって、前記ＡＣ回路ＰＬＣインジェクションモジュールは、ＡＣ電力信号を受け取るＡＣ電力入力部と、前記ＡＣ電力信号上にＰＬＣ信号を結合させるＰＬＣトランシーバ回路と、ＡＣ電力及びＰＬＣ信号を出力する少なくとも第１のＡＣ回路出力部と、前記ＡＣ電力入力部へ通過することから前記ＰＬＣ信号をフィルタリングするＰＬＣブロッキングラインフィルタと、前記ＡＣ電力入力部と少なくとも１つの前記ＡＣ回路出力部との間に接続される電力継電器と、ＡＣ出力回路を介して前記少なくとも１つのＡＣ回路ＰＬＣインジェクションモジュールに接続されるＰＬＣ対応装置にＰＬＣネットワークＩＤを割り当てる過程中に、選択的に第１のＡＣ回路が電力を出力することを有効にし、第１のＡＣ回路出力部がＡＣ電力を出力することを無効にするように前記電力継電器を制御するプロセッサとを含む、システム。
【請求項２】
前記少なくとも１つのＡＣ回路ＰＬＣインジェクションモジュールが、前記ＡＣ電力及びＰＬＣ信号を出力する少なくとも第２のＡＣ回路出力部を含み、第１のＡＣ回路出力部及び第２のＡＣ回路出力部は、少なくとも１つの回路遮断器によって互いに隔離されている、請求項１に記載のシステム。
【請求項３】
前記少なくとも１つのＡＣ回路ＰＬＣインジェクションモジュールが、前記ＡＣ電力信号を受け取る少なくとも第２のＡＣ電力入力部と、前記ＡＣ電力信号上に第２のＰＬＣ信号を結合させる少なくとも第２のＰＬＣトランシーバ回路と、ＡＣ電力及び第２のＰＬＣ信号を出力する少なくとも第２のＡＣ回路出力部と、第２のＡＣ電力入力部へ通過することから第２のＰＬＣ信号をフィルタリングする第２のＰＬＣブロッキングラインフィルタとを更に含む、請求項１に記載のシステム。
【請求項４】
第１のＰＬＣトランシーバ回路が第１のＰＬＣネットワークＩＤを有し、第２のＰＬＣトランシーバ回路が第１のＰＬＣネットワークＩＤとは異なる第２のＰＬＣネットワークＩＤを有する、請求項３に記載のシステム。
【請求項５】
前記少なくとも１つのＡＣ回路ＰＬＣインジェクションモジュールが、第１のＡＣ電力信号とは異なる第２のＡＣ電力信号を受け取る少なくとも第２のＡＣ電力入力部と、第２のＡＣ電力信号上に第２のＰＬＣ信号を結合させる少なくとも第２のＰＬＣトランシーバ回路と、ＡＣ電力及び第２のＰＬＣ信号を出力する少なくとも第２のＡＣ回路出力部と、第２のＡＣ電力入力部へ通過することから第２のＰＬＣ信号をフィルタリングする第２のＰＬＣブロッキングラインフィルタとを更に含む、請求項１に記載のシステム。
【請求項６】
前記少なくとも１つのＡＣ回路ＰＬＣインジェクションモジュールが、少なくとも第２のＡＣ回路ＰＬＣインジェクションモジュールを含み、第２のＡＣ回路ＰＬＣインジェクションモジュールは、ＡＣ電力信号を受け取る第２のＡＣ電力入力部と、前記ＡＣ電力信号上に第２のＰＬＣ信号を結合させる第２のＰＬＣトランシーバ回路と、ＡＣ電力及び第２のＰＬＣ信号を出力する少なくとも第２のＡＣ回路出力部と、第２のＡＣ電力入力部へ通過することから第２のＰＬＣ信号をフィルタリングする第２のＰＬＣブロッキングラインフィルタとを含む、請求項１に記載のシステム。
【請求項７】
第１のＰＬＣトランシーバ回路が第１のＰＬＣネットワークＩＤを有し、第２のＰＬＣトランシーバ回路が第１のＰＬＣネットワークＩＤとは異なる第２のＰＬＣネットワークＩＤを有する、請求項６に記載のシステム。
【請求項８】
第１のＡＣ回路出力部に接続され、第１のＡＣ回路出力部からＰＬＣ信号を受け取る少なくとも第１のＰＬＣ受信機と、第２のＡＣ回路出力部に接続され、第２のＡＣ回路出力部から第２のＰＬＣ信号を受け取る少なくとも第２のＰＬＣ受信機とを更に含み、第１のＰＬＣ受信機は第１のＰＬＣネットワークＩＤを有し、第２のＰＬＣ受信機は第２のＰＬＣネットワークＩＤを有する、請求項７に記載のシステム。
【請求項９】
第１のＡＣ回路出力部と少なくとも一つのＰＬＣ受信機との間のある点に接続されるＰＬＣリピータを更に含み、前記ＰＬＣトランシーバ回路が第１のＰＬＣネットワークＩＤを有し、前記少なくとも一つのＰＬＣ受信機が、第１のＰＬＣネットワークＩＤとは異なる第２のＰＬＣネットワークＩＤを有し、前記ＰＬＣデータが前記ＰＬＣリピータを介して前記ＰＬＣトランシーバ回路と前記ＰＬＣ受信機との間で伝達される、請求項１に記載のシステム。
【請求項１０】
複数のＰＬＣ送信機の１つにそれぞれ関連する複数のＡＣ回路を介して複数のＰＬＣ対応装置に接続される、前記複数のＰＬＣ送信機を有するＰＬＣ対応電力及びデータ分配システムのための方法であって、前記複数のＰＬＣ対応装置のそれぞれについてＰＬＣネットワークＩＤを既定のＰＬＣネットワークＩＤに設定するステップと、前記複数のＰＬＣ対応装置のそれぞれが前記既定のＰＬＣネットワークＩＤに設定された後、前記ＰＬＣ送信機のそれぞれに接続される前記複数のＰＬＣ対応装置のそれぞれに対し、当該ＰＬＣ送信機に一意に割り当てられたＰＬＣネットワークＩＤを割り当てるステップとを含む、方法。
【請求項１１】
前記複数のＰＬＣ対応装置のそれぞれについて前記ＰＬＣネットワークＩＤを前記既定のネットワークＩＤに設定するステップが、
（１）前記ＰＬＣ対応電力及びデータ分配システムによって使用される可能なＰＬＣネットワークＩＤの有限一覧の中の被選択ＰＬＣネットワークＩＤを有するように前記ＰＬＣ送信機のうちの選択されたものを構成するステップと、
（２）前記被選択ＰＬＣネットワークＩＤに構成される選択されたＰＬＣ送信機に接続される任意のＰＬＣ対応装置を発見するステップと、
（３）発見された任意のＰＬＣ対応装置のＰＬＣネットワークＩＤを既定のＰＬＣネットワークＩＤに変更するステップと、
（４）可能なＰＬＣネットワークＩＤの有限一覧の中のＰＬＣネットワークＩＤごとにステップ（１）からステップ（３）を繰り返すステップとを含む、請求項１０に記載の方法。
【請求項１２】
前記ＰＬＣ送信機のそれぞれに接続される前記複数のＰＬＣ対応装置のそれぞれに対し、当該ＰＬＣ送信機に一意に割り当てられたＰＬＣネットワークＩＤを割り当てるステップが、第１のＰＬＣ送信機に関連するＡＣ回路を除く全てのＡＣ回路への電力をオフにするステップと、電力オンのままである任意のＰＬＣ対応装置を第１の一意のＰＬＣネットワークＩＤで構成するステップと、第１の一意のＰＬＣネットワークＩＤを有するように第１のＰＬＣ送信機を構成するステップとを含む、請求項１１に記載の方法。
【請求項１３】
第１のＰＬＣ送信機及び第２のＰＬＣ送信機に関連するＡＣ回路を除く全てのＡＣ回路への電力をオフにするステップと、電力オンのままである任意のＰＬＣ対応装置を第２の一意のＰＬＣネットワークＩＤで構成するステップと、第２の一意のＰＬＣネットワークＩＤを有するように第２のＰＬＣ送信機を構成するステップとを更に含む、請求項１２に記載の方法。
【請求項１４】
前記複数のＰＬＣ対応装置のそれぞれについて前記ＰＬＣネットワークＩＤを前記既定のＰＬＣネットワークＩＤに設定するステップは、前記複数のＰＬＣ対応装置のそれぞれが、電源投入後の所定の期間内に前記ＰＬＣ送信機から前記ＰＬＣ信号を一切受け取らない場合、自らのＰＬＣネットワークＩＤを前記既定のＰＬＣネットワークＩＤに自動で設定するステップを含む、請求項１０に記載の方法。
【請求項１５】
前記複数のＰＬＣ対応装置のそれぞれについてＰＬＣネットワークＩＤを既定のＰＬＣネットワークＩＤに設定するステップが、前記ＰＬＣ対応装置に割り当てられたＰＬＣネットワークＩＤに関係なく、前記ＰＬＣ対応装置の全てによって受け取られ得るグローバルコマンドを前記ＰＬＣ送信機のうちの１つがブロードキャストするステップを含み、前記グローバルコマンドは前記ＰＬＣ対応装置の全てに対し、自らのＰＬＣネットワークＩＤを既定のＰＬＣネットワークＩＤにリセットするように命令する、請求項１０に記載の方法。